(57)【要約】      （修正有）【課題】無落雪屋根住宅のソーラーパネル架台であって、その架台を取外すことなく、屋根表面の葺替えや防水処理を行なうことができるものを提供する。【解決手段】外周にパラペット１が立ち上げられた陸屋根に設置されるソーラーパネルの設置構造において、それぞれ対向するパラペット１に、ベース材２の両端部が横架して載置されると共に、その両端部がパラペット１に締結具を介して固定される。また、そのベース材２に複数の柱材４が互いに離間して立設され且つ、各柱材４の中間部の間が連結材で連結固定されると共に、各柱材４の頂部間が梁材５で連結されて架台６が形成され、その梁材５にソーラパネル７が固定される。さらに、前記架台６は、その全荷重が前記パラペット１のみに支持されて、そのベース材２と陸屋根の上面との間を全て空間とすることができるようにされ、それにより架台６をそのままにして、陸屋根表面の屋根の葺替え、修理、防水処理を行えるように構成する。【選択図】図２
0003160565.tif 000002
【実用新案登録請求の範囲】
【請求項１】
外周にパラペット(1)が立ち上げられた陸屋根に設置されるソーラパネルの設置構造において、
それぞれ対向するパラペット(1)に、ベース材(2)の両端部が横架して載置されると共に、その両端部がパラペット(1)に締結具(3)を介して固定され、
そのベース材(2)に複数の柱材(4)が互いに離間して立設され且つ、各柱材(4)の中間部の間が連結材で連結固定されると共に、各柱材(4)の頂部間が梁材(5)で連結されて架台(6)が形成され、その梁材(5)にソーラパネル(7)が固定され、
前記架台(6)は、その全荷重が前記パラペット(1)のみに支持されて、そのベース材(2)と陸屋根の上面(8)との間を全て空間とすることができるようにされ、それにより架台(6)をそのままにして、陸屋根表面の屋根の葺替え、修理、防水処理を行えるように構成したことを特徴とするソーラパネル架台の設置構造。
【請求項２】
請求項１において、
前記パラペット(1)の側面および上面には、横断面Ｌ字状の金具(15)がそのＬ字のコーナがパラペットの縁部に位置するように載置され、その金具(15)とパラペットとが締結具(3)で固定され、その金具の立ち上げ部(15b)と前記ベース材(2)の先端部とがボルト(18)を介して締結されたソーラパネル架台の設置構造。
【請求項３】
請求項１または請求項２において、
前記ベース材(2)の中間部の下端に、脚部(9)の上端が着脱自在または回転自在に取付られ、その脚部(9)の下端がプレート(10)および弾性マット(10a) を介して陸屋根の上面(8)に仮載置されるソーラパネル架台の設置構造。
【請求項４】
請求項１〜請求項３のいずれかにおいて、
各柱材(4)間および柱材(4)と梁材(5)間が内筋交い材(12)で連結されたソーラパネル架台の設置構造。
【請求項５】
請求項１〜請求項４のいずれかのソーラパネル架台が、複数並列され、各架台(6)間が外筋交い材(13)で連結され、且つ並列方向の端部に位置する架台(6)の柱材(4)と、パラペット(1)の上面との間が控え筋交い材(14)で連結されたソーラパネル架台の設置構造。
【考案の詳細な説明】
【技術分野】
【０００１】
本考案は、特に降雪地における無落雪屋根住宅の陸屋根にソーラーパネル架台を設置するための構造に関する。
【背景技術】
【０００２】
無落雪屋根住宅におけるソーラーパネル架台の構造として、下記特許文献記載のものが提案されている。
これは、外壁の上部外側に支持部材を固定し、そこから吊り梁材を立上げ、その上端にベース材を固定するとともに、陸屋根の上面に沿って各種補強用の支持材を取り付けたものである。
【先行技術文献】
【特許文献】
【０００３】
【特許文献１】特開２００８−７５３４６号公報
【考案の概要】
【考案が解決しようとする課題】
【０００４】
従来の無落雪屋根住宅における架台は、その陸屋根の葺替えや修理・防水処理を行なう際に、架台を撤去して施工する必要があった。そしてその施行後に再度架台を組立てることになり、多くの労力と費用を要していた。
そこで、本考案は架台を設置したまま、陸屋根表面の葺替え等を行なうことができるソーラーパネル架台の設置構造を提供することを課題とする。
【課題を解決するための手段】
【０００５】
請求項１に記載の本考案は、外周にパラペット(1)が立ち上げられた陸屋根に設置されるソーラーパネルの設置構造において、
それぞれ対向するパラペット(1)に、ベース材(2)の両端部が横架して載置されると共に、その両端部がパラペット(1)に締結具(3)を介して固定され、
そのベース材(2)に複数の柱材(4)が互いに離間して立設され且つ、各柱材(4)の中間部の間が連結材で連結固定されると共に、各柱材(4)の頂部間が梁材(5)で連結されて架台(6)が形成され、その梁材(5)にソーラパネル(7)が固定され、
前記架台(6)は、その全荷重が前記パラペット(1)のみに支持されて、そのベース材(2)と陸屋根の上面(8)との間を全て空間とすることができるようにされ、それにより架台(6)をそのままにして、陸屋根表面の屋根の葺替え、修理、防水処理を行えるように構成したことを特徴とするソーラーパネル架台の設置構造である。
【０００６】
請求項２に記載の本考案は、請求項１において、
前記パラペット(1)の側面および上面には、横断面Ｌ字状の金具(15)がそのＬ字のコーナがパラペットの縁部に位置するように載置され、その金具(15)とパラペットとが締結具(3)で固定され、その金具の立ち上げ部(15b)と前記ベース材(2)の先端部とがボルト(18)を介して締結されたソーラパネル架台の設置構造である。
請求項３に記載の本考案は、請求項１または請求項２において、
前記ベース材(2)の中間部の下端に、脚部(9)の上端が着脱自在または回転自在に取付られ、その脚部(9)の下端がプレート(10)および弾性マット(10a) を介して陸屋根の上面(8)に仮載置されるソーラーパネル架台の設置構造である。
請求項４に記載の本考案は、請求項１〜請求項３のいずれかにおいて、
各柱材(4)間および柱材(4)と梁材(5)間が内筋交い材(12)で連結されたソーラーパネル架台の設置構造である。
請求項５に記載の本考案は、請求項１〜請求項４のいずれかのソーラーパネル架台が、複数並列され、各架台(6)間が外筋交い材(13)で連結され、且つ並列方向の端部に位置する架台(6)の柱材(4)と、パラペット(1)の上面との間が控え筋交い材(14)で連結されたソーラーパネル架台の設置構造である。
【考案の効果】
【０００７】
本考案のソーラーパネル架台の設置構造は、その架台６の全荷重がパラペット１のみに支持されて、ベース材２と陸屋根の上面８との間をすべて空間とすることができるようにされたから、それにより架台６を設置したまま、陸屋根表面の葺替えや修理・防水処理を行える効果がある。
【０００８】
上記構成において、請求項２に記載のように、前記パラペット(1)の側面および上面に、横断面Ｌ字状の金具(15)をそのＬ字のコーナがパラペットの縁部に位置するように載置し、その金具(15)とパラペットとを締結具(3)で固定し、その金具の立ち上げ部(15b)と前記ベース材(2)の先端部とをボルト(18)を介して締結さすることができる。この場合には、金具15のＬ字部がパラペットのコーナに嵌着するため、水平方向の位置決め強度が高く、安定したソーラーパネル架台の設置構造を提供できる。  
上記構成において、請求項３に記載のように、ベース材２の中間部に脚部９を着脱自在または回転自在に取付けてその下端をプレート10および弾性マット10ａを介して、陸屋根の上面８に仮載置することができる。この場合には、架台６の荷重をパラペット１のみならず陸屋根の上面８にも分散して支持することができる。この時、弾性マット10ａの存在により陸屋根の上面８を損傷することがない。そして、陸屋根表面の葺替えや修理・防水処理を行うときには、脚部９を取り外すのみで、架台を設置したまま、容易にその工事を行うことができる。
【０００９】
上記構成において、請求項４に記載のように、柱材４間および柱材４と梁材５との間を内筋交い材12で連結することができる。この場合には、さらに丈夫なソーラーパネル架台の設置構造を提供できる。
上記構成において、請求項５に記載のように、ソーラーパネルの架台を複数並列し、各架台６間に外筋交い材13を連結し且つ、その並列方向端部の架台６の柱材４とパラペット１上面との間を控え筋交い材14で連結することができる。この場合にはさらに丈夫なソーラーパネル架台の設置構造を提供できる。
【図面の簡単な説明】
【００１０】
【図１】本考案のソーラーパネル架台の設置構造の正面略図であって、図２のII‐II矢視図。
【図２】同側面図。
【図３】同平面図。
【図４】図１のIV部拡大図。
【図５】図１のＶ部拡大図。
【図６】図４のVI‐VI矢視略図。
【考案を実施するための形態】
【００１１】
次に、図面に基づいて本考案の実施の形態につき説明する。
図１は本考案のソーラーパネル架台の正面略図であって、図２はその側面図である。
この架台は、特に降雪地において使用されるものであり、周囲にパラペット１が立ち上げられた陸屋根に設置されるものである。このパラペット１は通常その頂部に嵩木が固定され、その外周が金属板等で防水処理されている。また、陸屋根の上面８は中心部に向かって水勾配が取られ、その中心部に溝16が形成され、その端部が排水管に連結されている。上面８には金属板等の防水材が被覆され、その裏面側に図示しない融雪装置が配置されている。
【００１２】
このような陸屋根において、そのパラペット１上部にベース材２の両端が載置され、金具15および締結具３を介して、それがパラペット１頂部に固定される。その金具15は図４，図６に示す如く、横断面Ｌ字状の細長い金具ベース15aとその上面に、溶接等で立ち上げられた複数の立ち上げ部15bとからなる。金具15はそのＬ字のコーナがパラペット１の隅に嵌着するように載置され、そのパラペット１と金具ベース15aとが締結具３で固定されている。そして、その各立ち上げ部15bと一対のベース材２の先端とがボルト18を介して締結されている。
パラペット１頂部には嵩木が位置し、その嵩木に図４、図６のごとく前記締結具３で固定される。この例では嵩木に固定される締結具３は一例として公知のスクリュービスを用いることができる。そのビスの上端とパラペット１の頂部との間は、防水剤を塗布する。
【００１３】
この例では、一対のベース材２が並列され、各ベース材２に柱材４が立設されるとともに、それらの間が梁材５で連結される。この例では、ベース材２はチャンネル材が使用されている。また、この柱材４および梁材５は一例としてアングル材を用いることができる。そして、柱材４とベース材２とはボルト18により連結、或いは両者を溶接することにより連結できる。各柱材４は南側程その長さが短く、北側程その長さが長い。柱材４の中間部および上端部間は梁材５で連結されるとともに、内筋交い材12により各柱材４間が連結されている。そして、高さの異なる柱材４の上端間に取り付けられた梁材５は傾斜している。なお、各柱材４および梁材５間は連結金具17を介して、図示しないボルトにより締結固定されて、架台６を形成する。
【００１４】
架台６の端部は、控え筋交い材14および金具15を介してパラペット１に締結固定されている。また、この例では図２に示すごとく、複数の架台６が並列され、それらの間が外筋交い材13で連結されている。このようにしてなる架台６上面にソーラーパネル７が傾斜状態で固定される。各架台６の間隔は冬至の季節において、それらの影が重ならないように配置される。
【００１５】
さらに、この例では図１および図５に示すごとく、ベース材２の中間部に脚部９の上端がボルト18を介して着脱自在または、上方へ回転自在に固定され、その下端がプレート10および弾性マット10ａを介して陸屋根上面８に設置されている。なお、脚部９は必ずしも必要なものではない。また、プレート10は弾性マット10ａを介して陸屋根上面８に載置されているのみであり、両者間が固定されることはない。
【００１６】
そして、陸屋根上面８の屋根材の葺き替えや防水処理、その他を行なうときは、ボルト18を取外し、脚部９を陸屋根上面８上から外して行うことができる。ベース材２と上面８との間には比較的大きな隙間が存在し、架台を設置したまま、その陸屋根上面８の葺替え等を容易に行なうことができる。
【符号の説明】
【００１７】
１  パラペット
２  ベース材
３  締結具
４  柱材
５  梁材
６  架台
７  ソーラーパネル
８  上面
９  脚部
【００１８】
10  プレート
10a  弾性マット
12  内筋交い材
13  外筋交い材
14  控え筋交い材
15  金具
15a  金具ベース
15b  立ち上げ部
16  溝
17  連結金具
18  ボルト
【図１】
0003160565.tif 000003
【図２】
0003160565.tif 000004
【図３】
0003160565.tif 000005
【図４】
0003160565.tif 000006
【図５】
0003160565.tif 000007
【図６】
0003160565.tif 000008
【手続補正書】
【提出日】平成22年4月16日(2010.4.16)
【手続補正１】
【補正対象書類名】実用新案登録請求の範囲
【補正対象項目名】請求項５
【補正方法】変更
【補正の内容】
【請求項５】
請求項１〜請求項４のいずれかにおいて、
前記ソーラパネル架台が、複数並列され、各架台(6)間が外筋交い材(13)で連結され、且つ並列方向の端部に位置する架台(6)の柱材(4)と、パラペット(1)の上面との間が控え筋交い材(14)で連結されたソーラパネル架台の設置構造。
【手続補正２】
【補正対象書類名】明細書
【補正対象項目名】０００６
【補正方法】変更
【補正の内容】
【０００６】
請求項２に記載の本考案は、請求項１において、
前記パラペット(1)の側面および上面には、横断面Ｌ字状の金具(15)がそのＬ字のコーナがパラペットの縁部に位置するように載置され、その金具(15)とパラペットとが締結具(3)で固定され、その金具の立ち上げ部(15b)と前記ベース材(2)の先端部とがボルト(18)を介して締結されたソーラパネル架台の設置構造である。
請求項３に記載の本考案は、請求項１または請求項２において、
前記ベース材(2)の中間部の下端に、脚部(9)の上端が着脱自在または回転自在に取付られ、その脚部(9)の下端がプレート(10)および弾性マット(10a) を介して陸屋根の上面(8)に仮載置されるソーラーパネル架台の設置構造である。
請求項４に記載の本考案は、請求項１〜請求項３のいずれかにおいて、
各柱材(4)間および柱材(4)と梁材(5)間が内筋交い材(12)で連結されたソーラーパネル架台の設置構造である。
請求項５に記載の本考案は、請求項１〜請求項４のいずれかにおいて、
前記ソーラーパネル架台が、複数並列され、各架台(6)間が外筋交い材(13)で連結され、且つ並列方向の端部に位置する架台(6)の柱材(4)と、パラペット(1)の上面との間が控え筋交い材(14)で連結されたソーラーパネル架台の設置構造である。